(57)【要約】【課題】コストの大幅な増加を抑えて建物の外観を向上させることができる縦樋を提供する。【解決手段】縦樋１は、複数の支持具を用いて、建物１０の外壁面１１１に取り付けられている。この縦樋１は、外周面１ａに加飾シートが貼られており、この加飾シートは、外壁面１１１のタイル模様と同じタイル模様を有している。これにより、縦樋１の外周面１ａには、外壁面１１１のタイル模様と同じタイル模様が形成されている。【選択図】図１
2009275471.tif 000002
【特許請求の範囲】
【請求項１】
模様が形成されている建物の外壁面に支持具を用いて取り付けられる縦樋において、
前記縦樋が前記外壁面に取り付けられた状態で、当該縦樋の外周面の少なくとも目視可能な部分に、前記外壁面の模様と同じ模様を形成したことを特徴とする縦樋。
【発明の詳細な説明】
【技術分野】
【０００１】
本件発明は、模様が形成されている建物の外壁面に支持具を用いて取り付けられる縦樋に関する。
【背景技術】
【０００２】
従来より、縦樋は、複数の支持具を用いて建物の外壁面に取り付けられている。ここで、外壁面にタイル模様が形成されている場合には、縦樋によって建物の外観が大きく損なわれてしまう。これを解決するために、例えば、特許文献１のような壁材の構造が提案されている。
【０００３】
この壁材の構造は、既存壁１の前面側に新規壁１０が追加して設けられており、双方の壁１、１０の間に形成されている空間部４に縦樋３の上下部以外の部分を配置している。これにより、縦樋３の大部分が隠れるので、建物の外観を向上させることが可能になっている。
【特許文献１】特開平１０−２９９２６５号公報（図１）
【発明の開示】
【発明が解決しようとする課題】
【０００４】
しかしながら、従来の壁材の構造では、縦樋３を隠すために二つの壁１、１０が必要になるため、コストが大幅にかかってしまう問題があった。
【０００５】
本件発明は、かかる従来の課題に鑑みてなされたものであり、コストの大幅な増加を抑えて建物の外観を向上させることができる縦樋を提供することを目的とする。
【課題を解決するための手段】
【０００６】
前記課題を解決するために本件発明の縦樋は、模様が形成されている建物の外壁面に支持具を用いて取り付けられる縦樋において、前記縦樋が前記外壁面に取り付けられた状態で、当該縦樋の外周面の少なくとも目視可能な部分に、前記外壁面の模様と同じ模様を形成したことを特徴としている。
【発明の効果】
【０００７】
本件発明の縦樋は、外壁面に取り付けられた状態で、外周面の少なくとも目視可能な部分に外壁面の模様と同じ模様を形成した。これにより、縦樋は外壁面と区別がつきにくくなるので、従来のように縦樋を隠すために建物に二つの壁を設ける必要がない。よって、本件発明の縦樋は、コストの大幅な増加を抑えて建物の外観を向上させることができる。
【発明を実施するための最良の形態】
【０００８】
以下、本件発明の実施の形態を図にしたがって説明する。
【０００９】
図１は、本件発明の一実施の形態を示す建物１０上部の要部の斜視図である。この建物１０の外壁面１１１は、ボード１１２の表面にタイル１１３が貼り付けられて形成されている。また、縦樋１は、複数の支持具（図示せず）を用いて、建物１０の外壁面１１１に取り付けられている。この縦樋１は、従来の縦樋と異なり、縦樋１の外周面１ａ全体に、外壁面１１１のタイル模様と同じタイル模様が形成されている。
【００１０】
これについて具体的に説明する。図２は、縦樋１の縦断面図である。この縦樋１は、縦樋本体２と、加飾シート３とを備えている。この加飾シート３は、縦樋本体２と同様に樹脂で形成されており、縦樋本体２の外周面２ａ全体に貼られている。
【００１１】
そして、この加飾シート３は、外壁面１１１のタイル模様と同じタイル模様を有しており、加飾シート３の表面（縦樋１の外周面）１ａには、複数の窪み部３ａが形成されている。各窪み部３ａは横に延びて形成されており、外壁面１１１の横方向に形成されている窪み部１１１ａ（図１参照）と位置が一致している。
【００１２】
図３は、縦樋１の取付構造の横断面図である。縦樋１の支持具４は金属で形成されており、支持具本体４１と、取付部材４２とを備えている。
【００１３】
支持具本体４１は、縦樋１の外周面１ａの目視可能でない部分１ｃ（裏半分）に外嵌している。これについて具体的に説明する。縦樋１の外周面１ａの左右側部の中間部分には、凹部１１，１１が対向して形成されている。これに対し、支持具本体４１は断面略コ字状に形成されており、先端部４１１，４１１が外周面１ａの凹部１１，１１に内嵌して、外周面１ａの目視可能でない部分１ｃに外嵌している。
【００１４】
一方、取付部材４２は平板状に形成されている。この取付部材４２は、支持具本体４１の中間部分４１２の外側面４１ａに面接して溶接等により結合されている。さらに、取付部材４２は、釘等の取付具５を用いて外壁面１１１に面接して固定されており、これによって縦樋１は外壁面１１１に取り付けられている。
【００１５】
このようにして外壁面１１１に取り付けられている縦樋１は、外周面１ａの目視可能な部分１ｂ（表半分）に外壁面１１１の模様と同じ模様が形成されている。これにより、縦樋１は外壁面１１１と区別がつきにくくなるので、従来のように縦樋１を隠すために建物に二つの壁を設ける必要がない。よって、本実施の形態の縦樋１は、コストの大幅な増加を抑えて建物１０の外観を向上させることができる。
【００１６】
また、本実施の形態の縦樋１は、加飾シート３を用いることにより、外周面１ａの目視可能な部分１ｂに、外壁面１１１の模様と同じ模様を形成した。したがって、外壁面１１１の模様が変わっても、加飾シートを貼りかえるか、または現在の加飾シート３に別の加飾シートを重ねて貼ることにより、縦樋１の模様を外壁面１１１の模様と同じにすることが可能になる。よって、本実施の形態の縦樋１は、外壁面１１１の模様が変わっても、建物１０の外観が低下するのを抑えることができる。なお、本実施の形態では、加飾シート３の貼着範囲を、縦樋１の外周面１ａ全体に設定したが、少なくとも目視可能な部分１ｂに設定すれば良い。
【００１７】
また、本実施の形態では、縦樋１を支持具本体４１に外嵌させた状態で取付部材４２を外壁面１１１に面接して固定するようにした。これにより、縦樋１と外壁面１１１との間の距離が、支持具本体４１および取付部材４２の厚み４１ｔ、４２ｔになる。したがって、縦樋１を外壁面１１１に近接させることが可能になり、縦樋１と外壁面１１１との区別がさらにつきにくくなる。よって、本実施の形態の縦樋１の取付構造は、建物１０の外観をさらに向上させることができる。なお、本実施の形態では、支持具本体４１を断面略コ字状に形成したが、縦樋の形状に応じて断面略Ｃ字状に形成しても良い。
【００１８】
また、その他の縦樋として、縦樋の少なくとも目視可能な部分に、外壁面１１１の模様と同じ模様を一体成形させて構成しても良い。この場合の縦樋でも、外壁面１１１と区別がつきにくくなるので、コストの大幅な増加を抑えて建物の外観を向上させることができる。また、この場合の縦樋は、加飾シート３を使用した縦樋１に比べて、模様に立体感が生じるので外壁面１１１との区別をさらにつきにくくすることができ、建物の外観をさらに向上させることができる。
【００１９】
以上、本件発明にかかる実施の形態を例示したが、これらの実施の形態は本件発明の内容を限定するものではない。また、本件発明の要旨を逸脱しない範囲であれば、各種の変更等は可能である。
【産業上の利用可能性】
【００２０】
以上説明したように本件発明の縦樋は、コストの大幅な増加を抑えて建物の外観を向上させることができる。したがって、本件発明の縦樋は、縦樋の技術分野で十分に利用することができる。
【図面の簡単な説明】
【００２１】
【図１】本件発明の一実施の形態を示す建物上部の要部の斜視図である。
【図２】同実施の形態を示す縦樋の縦断面図である。
【図３】同実施の形態を示す縦樋の取付構造の横断面図である。
【符号の説明】
【００２２】
１    縦樋
１ａ    外周面
１ｂ    目視可能な部分
３    加飾シート
４    支持具
１０    建物
１１１    外壁面
【図１】
2009275471.tif 000003
【図２】
2009275471.tif 000004
【図３】
2009275471.tif 000005